(57)【要約】      （修正有）【課題】衣服に付設する照明具を提供する。【解決手段】衣服１に付設の照明具で持ち運び可能な電源部からの電源によりＬＥＤで照光する。衣服として防寒着１を選び、この防寒着１には照明具５が所望の照明箇所を照光するようにクリップ６によって付設してある。この防寒着１は、例えば、冬の寒い最中における夜釣りに使用する。照明具５は、本体ケースに内蔵の光源のＬＥＤと、そのＬＥＤの前面に配置のレンズで構成されていて、前記ＬＥＤとリード線７を介して電源部に接続されている。尚、前記光源のＬＥＤが発する色は、目的に合わせて白色、赤色等であり、前記レンズも目的に合わせて集光レンズ、又は拡散レンズである。【選択図】図１
0003175028.tif 000002
【実用新案登録請求の範囲】
【請求項１】
衣服に付設の照明具であって、この照明具を持ち運び可能な電源部からの電源によるＬＥＤで照光することを特徴とする衣服に付設の照明具。
【請求項２】
請求項1の衣服に付設の照明具であって、
ＬＥＤの光をレンズを介して照光することを特徴とする衣服に付設の照明具。
【請求項３】
請求項１又は請求項２の衣服に付設の照明具であって、
照明具にクリップを付設することを特徴とする衣服に付設の照明具。
【請求項４】
請求項1から請求項３のいずれか１項の衣服に付設の照明具であって、
電源部にはＬＥＤを点灯と消灯を繰り返す発信回路を備えて、常時、点灯しているが如き状態を維持することを特徴とする衣服に付設の照明具。
【請求項５】
請求項４の衣服に付設の照明具であって、
ＬＥＤを点灯と消灯を繰り返す発信回路における発信器のパルス列を矩形波又は三角波であることを特徴とする衣服に付設の照明具。
【請求項６】
請求項４又は請求項５の衣服に付設の照明具であって、
発信器のパルス列と新たな発信器によるパルス列との論理積によるパルス列で照明具を点滅させることを特徴とする衣服に付設の照明具。
【考案の詳細な説明】
【技術分野】
【０００１】
本願考案は、衣服に付設の照明具に関する。
【背景技術】
【０００２】
特許文献1には、例えば、夜間に行う交通取り締まりや実況見聞などの照明を要する夜間業務などにおいて、照明具を備えた上衣（チョッキ）についての記載である。胸部表面若しくは胸部付近の表面には、電源により光輝若しくは点灯する文字読み取り用の照明具が設けてあり、この照明具は、照明光を下方に向けて照射し得る状態に設けると共に、照明光の向きを位置決め変更可能とする位置決め手段を備えている。
【先行技術文献】
【特許文献】
【０００３】
【特許文献１】特開２００１−８９９０９
【考案の概要】
【考案が解決しようとする課題】
【０００４】
前記チョッキにおける照明具は消費電力を軽減することには言及していない。
そこで、少しでも長期にわたる照明を継続することは有意義であるので、本願考案はかかる課題を解消するものである。
【課題を解決するための手段】
【０００５】
請求項１の衣服に付設の照明具は、照明具を持ち運び可能な電源部からの電源によるＬＥＤで照光するものである。
また、請求項２の衣服に付設の照明具は、ＬＥＤが発する光をレンズを介して照光する。
また、請求項３の衣服に付設の照明具は、照明具にクリップを付設するものである。
また、請求項４の衣服に付設の照明具は、電源部にはＬＥＤを点灯と消灯を繰り返す発信回路を有していて、常時、点灯しているが如き状態を維持して消費電力の軽減を図っている。
また、請求項５の衣服に付設の照明具は、ＬＥＤを点灯と消灯を繰り返す発信回路における発信器のパルス列を矩形波又は三角波である。
また、請求項６の衣服に付設の照明具は、発信器のパルス列と新たな発信器によるパルス列との論理積によるパルス列で照明具を点滅させる。
【考案の効果】
【０００６】
本願考案は、衣服にＬＥＤの照明具を取り付けて消費電力の軽減を図っている。また、本願考案は、照明具にレンズを取り付けて目的に合わせて照光し、クリップを付設の照明具によって照光位置を選択できる。また、本願考案は、光源のＬＥＤを点灯、消灯を繰り返すことによって、消費電力の軽減を図っている。
【図面の簡単な説明】
【０００７】
【図１】クリップによって衣服に照明具を付設の正面図である。
【図２】照明具と電源部との概念図である。
【図３】電源部の回路図である。
【図４】照明具を付設の衣服の正面図である。
【考案を実施するための形態】
【０００８】
本願考案の一実施の形態を図を参照して説明する。図１はクリップによって照明具を付設の衣服（防寒着）の正面図であり、第２図は照明具と電源部の概念図である。また、図３は電源部の回路図であり、図4は照明具を付設の衣服の正面図である。
【０００９】
本願発明を説明するために、衣服として防寒着１を選び、この防寒着１には照明具５が所望の照明箇所を照光するようにクリップ６によって付設してある。
この防寒着１は、例えば、冬の寒い最中における夜釣りに使用する。
照明具５は、本体ケースに内蔵の光源のＬＥＤ５ａと、そのＬＥＤ５ａの前面に配置のレンズで構成されていて、前記ＬＥＤ５ａとリード線7を介して電源部8に接続されている。尚、前記光源のＬＥＤ５ａが発する色は、目的に合わせて白色、赤色等であり、前記レンズも目的に合わせて集光レンズ、又は拡散レンズである。
【００１０】
前記ＬＥＤ５ａは、最大電圧（最大電流値）が規定されていて、この規格値に基づいて、直接、バッテリー１０からの電源によって点灯することもできる。
しかし、電流が多い状態でＬＥＤ５ａを点灯すると、ＬＥＤ５ａは昇温すると共に消費電力が多くなる。そこで、ＬＥＤ５ａが高温にならずに、且つ、照度を落とさないように制御することが望ましい。
このために、前記ＬＥＤ５ａがリード線7を介して接続の電源部８には、図3に示すように、バッテリー１０と発信器１１とドライバー１２を備える発信回路を有している。なお、電源部８は持ち歩くことができるものであり、ポケット４に入れてある。
【００１１】
前記電源部８の発信器１１は、図３（Ａ）に示すように、矩形波のパルス列を発生し、その出力は、ドライバー１２のトランジスタのベースに接続してある。
そして、前記矩形波が基準値以上のときには、トランジスタはコレクタとエミッタが導通し、バッテリー１０からの電流がＬＥＤ５ａを流れて、ＬＥＤ５ａは点灯する。
【００１２】
反対に、矩形波が基準値より低いときには、トランジスタは遮断状態になり、バッテリー１０とＬＥＤ５ａは非導通になり、ＬＥＤ５ａは消灯する。
なお、このように、ＬＥＤ５ａは点灯と消灯を繰り返すが、点灯された後の残光により、常時、点灯しているが如きの状態を維持するために、前記矩形波の周波数を選定する。
【００１３】
このように、点灯、消灯を繰り返すＬＥＤ５ａは、照度を維持できると共に、昇温するのを防止でき、電力消費の軽減を図ることができる。
このように、矩形波の周波数を変更できる回路を備えている発信器によって前記した照度、温度が許容できるように調整することによって、照度を維持し、ＬＥＤ５ａの昇温を抑制し、バッテリー１０が消費する電力の軽減を図ることができる。
【００１４】
また、前記発信器は矩形波を介してＬＥＤ５ａの点灯と消灯を繰り返す構成であるが、図３（Ｂ）に示す三角波のパルス列として、ＬＥＤ５ａの点灯、消灯を行ってもよい。なお、この三角波の周波数の選定は、前記矩形波と同じ要領で行う。
【００１５】
また、図４に示すように、照明具５をクリップ６ではなく、所望の照明箇所を照光するように、直接、衣服に縫製、接着剤等で付設してもよい。図４は左右、３個、付設してあるが、その数及び照光向きは適宜選定して取り付ける。
また、前記衣服は、防寒着に付設するものであるが、カーデガン、チョッキ、シャツ等、目的に合わせた種々の衣服に付設することもできるし、それらの衣服の上に防寒着を着る等をして、その目的あわせた状態で照明具を付設することであってもよいし、その照明具の数、発光色、照射方向、集光か拡散光か等は、種々の目的合わせて選定する。
【００１６】
また、前記の照明具は、特定周波数で点灯、消灯を繰り替えて連続して点灯しているが如き状態を維持する構成であるが、所定時間毎に、点灯と消灯を繰り返すように構成してもよい。
この場合、回路的には、前記発信器１１からのパルス列と、点滅する時間間隔である新たなパルス列とで論理積回路を構成して、その論理積の出力パルスが「ＯＮ」のときドライバーのトランジスタを導通して点灯状態にし、［ＯＦＦ］のとき非導通にすることによって消灯し、ＬＥＤ５ａを点滅させる。
このような回路によって、照明具５を点滅させると、点灯している間は、実は、点灯、消灯を繰り返してあたかも点灯しているが如き状態を維持しているのであって、省電力化を図ることができる。
【００１７】
以上のように、照明具を衣服に取り付けて、一定の照度を維持することによって夜間照明となるし、その照明具を点滅させることによって注意信号として作用させることができるし、光源としてＬＥＤ５ａを使用することによって低消費電力となり、且つ、照度を減少させないようにＬＥＤ５ａを特定のパルス列で点灯、消灯を繰り返すことによって低消費電力化を図ることができる。
【符号の説明】
【００１８】
１  防寒着
４  ポケット
５  照明具
５ａ  ＬＥＤ
８  電源部
１０  バッテリー
１１  発信器
１２  ドライバー
【図１】
0003175028.tif 000003
【図２】
0003175028.tif 000004
【図３】
0003175028.tif 000005
【図４】
0003175028.tif 000006